(57)【要約】【課題】ピックアップが確実に効率よく冷却される光ディスクドライブ装置を提供する。【解決手段】光ディスクドライブ装置１の筐体２内に、スピンドルモータ４の駆動軸５の先端部分には、記録用ディスク８を保持するチャッキングプレート６が取付けられている。記録用ディスク８に対してスピンドルモータ４が位置する側には、記録用ディスク８に対して情報のやり取りを行なうピックアップユニット１０が配設されている。駆動軸５には、ピックアップユニット１０を冷却するための送風ユニット１２が設けられている。送風ユニット１２は、駆動軸５に固定された羽根と、その羽根を覆うカバーを有して構成される。カバーには、周囲の空気を取入れるための開口部と、空気をピックアップユニットに向けて、直接吹出すための吹出し口が設けられている。【選択図】        図１
2004164733.tif 000002
【特許請求の範囲】
【請求項１】
所定の記録媒体を保持する保持部と、
前記保持部を回転させるためのスピンドルモータと、
記録媒体に所定の光を照射することにより、記録媒体に対して情報の操作を行なうためのピックアップユニットと、
前記スピンドルモータの駆動力によって駆動し、前記ピックアップユニットに向けて直接空気を吹付ける送風部と
を含み、
前記送風部は、
前記スピンドルモータの駆動軸に取付けられた羽根部と、
前記羽根部を覆うカバー部と、
前記カバー部に設けられ、前記カバー部の外の空気を取入れるためのた開口部と、
前記カバー部に設けられ、前記ピックアップユニットに向けて開口した吹出し口と
を備えた、光ディスクドライブ装置。
【請求項２】
所定の記録媒体を回転させるための駆動部と、
記録媒体に所定の光を照射することにより、記録媒体に対して情報の操作を行なうためのピックアップユニットと、
前記駆動部の駆動力によって駆動され、前記ピックアップユニットへ向けて空気を直接吹付けて前記ピックアップユニットを冷却するための送風部と
を備えた、光ディスクドライブ装置。
【請求項３】
前記送風部は、
前記スピンドルモータの駆動軸部に取付けられた羽根部と、
前記羽根部を覆うカバー部と、
前記カバー部に設けられ、前記カバー部の外の空気を取入れるためのた開口部と、
前記カバー部に設けられ、前記ピックアップユニットに向けて開口した吹出し口と
を含む、請求項２記載の光ディスクドライブ装置。
【請求項４】
前記送風部はクロスフローファンである、請求項２または３に記載の光ディスクドライブ装置。
【請求項５】
前記送風部はシロッコファンである、請求項２または３に記載の光ディスクドライブ装置。
【発明の詳細な説明】
【０００１】
【発明の属する技術分野】
本発明は光ディスクドライブ装置に関し、特に、ピックアップを冷却する機能を備えた光ディスクドライブ装置に関するものである。
【０００２】
【従来の技術】
ＣＤ（Ｃｏｍｐａｃｔ  Ｄｉｓｃ）等の記録用ディスクに記録された情報を読取ったり、反対に記録用ディスクに情報を記録するには光ディスクドライブ装置が用いられる。光ディスクドライブ装置では、特に、情報の書き込みの際には記録用ディスクに対して強度のより強いレーザ光線が照射される。
【０００３】
そのため、レーザ光線を照射する半導体レーザを含むピックアップの温度が容易に上昇して、半導体レーザの寿命が短くなったり半導体レーザの出力が不安定になりやすいという問題があった。
【０００４】
このような不具合を解決するために、半導体レーザの出力をソフト的に制御したり、あるいは温度センサを設けるなどしてハード的に制御する方策が採られるようになった。
【０００５】
ところが、このような方策では装置構成が複雑になり、却って温度が上昇することになり、より簡便にピックアップを冷却するために空冷式の光ディスクドライブ装置が提案されるようになった。
【０００６】
そこで、そのような光ディスクドライブ装置の一例として、特許文献１に記載された光ディスクドライブ装置（第１の従来技術）について説明する。
【０００７】
図６に示すように、光ディスクドライブ装置１０１の筐体１０２内では、記録用ディスク１０８は上面クランパ１１０と下面クランパ１０９によって回転モータ１０４の駆動軸に固定される。
【０００８】
回転モータ１０４の回転駆動に同期して記録用ディスク１０８が回転する。記録用ディスク１０８の下方（回転モータ１０４が位置する側）には所定のピックアップ（図示せず）が配設されている。
【０００９】
上面クランパ１１０には送風ファン１１２が形成されている。送風ファン１１２は回転モータ１０４の回転と同期して回転する。送風ファン１１２が回転すると、上面通風孔１０５および底面通風孔１０７を通じて光ディスクドライブ装置１０１内の空気を排出するとともに、外気を吸入することによって光ディスクドライブ装置１０１内が冷却される。
【００１０】
次に、光ディスクドライブ装置の他の例として、特許文献２に記載された光ディスクドライブ装置（第２の従来技術）について説明する。
【００１１】
図７に示すように、光ディスクドライブ装置２０１のピックアップは分離型光ピックアップであって、固定光学体２０２と移動光学体２０３とから構成されている。固定光学体２０２のハウジング２０４内には、レーザダイオード（ＬＤ）２０５、受光素子２０６、エアフィルタを備えた吸込ファン２０７等が設けられている。また、レーザ光線が出射されるハウジング２０４の部分には、筒状部２０８が設けられている。
【００１２】
一方、移動光学体２０３のハウジング２０９には、固定光学体２０２から出射されたレーザ光線を移動光学体２０３内に導くための通孔２１０と、移動光学体２０３の内部から光ディスクに向けてレーザ光線を照射するための開口部２１１と、移動光学体２１０内に導かれたレーザ光線を受光して光ディスク２１２に向けて照射するための光学系（図示せず）とが設けられている。
【００１３】
なお、ハウジング２０９は、通孔２１０と開口部２１１以外には空気の出入りがない密閉構造になっている。
【００１４】
固定光学体２０２に設けられた吸込ファン２０７によって、外部の空気がエアフィルタを介して固定光学体２０２のハウジング２０４内へ導入される。導入された空気はハウジング２０４内を冷却した後、筒状部２０８から外部へ噴出することになる。
【００１５】
筒状部２０８から噴出した空気は、通孔２１０から移動光学体２０３のハウジング２０９内へ流れ込んで、ハウジング２０９内を冷却した後開口部２１１から外部へ流出する。
【００１６】
開口部２１１から流出した空気は光ディスク２１２の記録面に当たり、その空気によって光ディスク２１２下方の構成部材が冷却されるとともに、記録，再生対象の情報トラック部分がクリーニングされる。
【００１７】
【特許文献１】
特開２００１−２３３６５号公報（第２頁、図１〜図５）
【００１８】
【特許文献２】
特開平５−２９８７３４号公報（第３頁〜第４頁、図１〜図６）
【００１９】
【発明が解決しようとする課題】
しかしながら、従来の光ディスクドライブ装置には次のような問題があった。まず、第１の従来技術では、送風ファン１１２の回転によって、上面通風孔１０５および底面通風孔１０７を通じて光ディスクドライブ装置１０１内の空気が排出されるとともに外気が吸入される。
【００２０】
このとき、ピックアップが位置する部分の空気は、ピックアップの直上に位置する記録用ディスク１０８によってその流れが阻害されてしまい、光ディスクドライブ装置１０１の外へ効率よく排出されないという問題があった。
【００２１】
また、記録用ディスク１０８を載置するディスクトレイが設けられている光ディスクドライブ装置では、そのディスクトレイによってピックアップ付近の空気がさらに排出されにくくなるという問題があった。
【００２２】
次に、第２の従来技術では、固定光学体２０２内の熱によって暖められた空気が移動光学体２０３に送り込まれた場合には、光学系を効率的に冷却することができないという問題があった。
【００２３】
また、このように暖められた空気が移動光学体２０３内に送り込まれることで、移動光学体２０３内に熱が篭って光学系がずれるという問題があった。さらには、比較的寒い環境において光ディスクドライブ装置２０１が使用されている場合には、暖かい空気が光学系のレンズに当たってレンズの表面に水滴が生じるという問題があった。
【００２４】
本発明は上記問題点を解決するためになされたものであり、その目的は、ピックアップが確実に効率よく冷却される光ディスクドライブ装置を提供することである。
【００２５】
【課題を解決するための手段】
本発明に係る一の光ディスクドライブ装置は、保持部とスピンドルモータとピックアップユニットと送風部とを含んでいる。保持部は所定の記録媒体を保持する。スピンドルモータは保持部を回転させる。ピックアップユニットは、記録媒体に所定の光を照射することにより、記録媒体に対して情報の操作を行なう。送風部は、スピンドルモータの駆動力によって駆動し、ピックアップユニットに向けて直接空気を吹付ける。その送風部は、スピンドルモータの駆動軸に取付けられた羽根部と、羽根部を覆うカバー部と、そのカバー部に設けられ、カバー部の外の空気を取入れるためのた開口部と、カバー部に設けられ、ピックアップユニットに向けて開口した吹出し口とを備えている。
【００２６】
この構造によれば、スピンドルモータの駆動力によって駆動する送風部の吹出し口から吹き出る空気がピックアップユニットに直接吹付けられて、ピックアップユニットが効率よく冷却される。これにより、特に、記録媒体に対して強度のより強い光がピックアップユニットから照射される情報の書き込みの際に、ピックアップユニットの温度が高温になるのを防ぐことができる。また、ピックアップユニットが効率よく冷却されることで、ピックアップユニットの寿命を延ばすことができるとともに、ピックアップユニットから発せられる所定の光の出力の安定化を図ることもできる。
【００２７】
本発明に係る他の光ディスクドライブ装置は、駆動部とピックアップユニットと送風部とを備えている。駆動部は所定の記録媒体を回転させる。ピックアップユニットは、記録媒体に所定の光を照射することにより、記録媒体に対して情報の操作を行なう。送風部は、駆動部の駆動力によって駆動され、ピックアップユニットへ向けて空気を直接吹付けてピックアップユニットを冷却する。
【００２８】
この構造によれば、スピンドルモータの駆動力によって駆動する送風部から空気がピックアップユニットに直接吹付けられて、ピックアップユニットが効率よく冷却される。これにより、特に、記録媒体に対して強度のより強い光がピックアップユニットから照射される情報の書き込みの際に、ピックアップユニットの温度が高温になるのを防ぐことができる。また、ピックアップユニットが効率よく冷却されることで、ピックアップユニットの寿命を延ばすことができるとともに、ピックアップユニットから発せられる所定の光の出力の安定化を図ることもできる。
【００２９】
また、送風部は、スピンドルモータの駆動軸部に取付けられた羽根部と、羽根部を覆うカバー部と、カバー部に設けられカバー部の外の空気を取入れるためのた開口部と、カバー部に設けられピックアップユニットに向けて開口した吹出し口とを含むことが好ましい。
【００３０】
これにより、スピンドルモータの駆動によって羽根部が回転することで、開口部から空気が取入れられるとともに、吹出し口から空気がピックアップユニットに直接吹付けられる。
【００３１】
送風機としては、より具体的にクロスフローファンまたはシロッコファンであることが好ましい。
【００３２】
【発明の実施の形態】
本発明の実施の形態に係る光ディスクドライブ装置について説明する。図１に示すように、光ディスクドライブ装置１の筐体２内には、ＣＤ等の記録用ディスク８を回転するためのスピンドルモータ４が配設されている。スピンドルモータ４の駆動軸５の先端部分には、記録用ディスク８を保持するチャッキングプレート６が取付けられている。
【００３３】
記録用ディスク８に対してスピンドルモータ４が位置する側には、ピックアップユニット１０が配設されている。ピックアップユニット１０によって記録用ディスク８に所定のレーザ光線が照射されて、記録用ディスク８に記録された情報が読取られたり、あるいは記録用ディスク８に情報が記録されることになる。
【００３４】
スピンドルモータ４の駆動軸５には、ピックアップユニット１０を冷却するための送風ユニット１２が設けられている。送風ユニット１２は記録用ディスク８に対してピックアップユニット１０が位置する側に配設されている。
【００３５】
その送風ユニット１２の一例として、クロスフローファンを例に挙げて説明する。図２および図３に示すように、送風ユニット１２は、スピンドルモータ４の駆動軸５に固定された羽根１３と、その羽根１３を覆うカバー１４を有して構成される。
【００３６】
そのカバー１４には、周囲の空気を取入れるための開口部１５と、空気をピックアップユニット１０に向けて、直接吹出すための吹出し口１６が設けられている。
【００３７】
駆動軸５の回転により羽根１３が回転すると、羽根１３の先端とカバー１４の特定部分との間隔の隙間における圧力に基づいて、吹出し口１６から空気が吹き出る。吹出し口１６から出た空気はピックアップユニット１０に直接吹付けられる。これにより、ピックアップユニット１０は効率よく冷却されることになる。
【００３８】
上述した光ディスクドライブ装置では、送風ユニット１２により吹き出る空気がピックアップユニット１０に直接吹付けられて、ピックアップユニット１０が効率よく冷却されることになる。
【００３９】
これにより、特に、記録用ディスク８に対して強度のより強いレーザ光線が照射される情報の書き込みの際に、レーザ光線を照射する半導体レーザを含むピックアップユニット１０の温度が高温になるのを防ぐことができる。
【００４０】
また、ピックアップユニット１０が効率よく冷却されることで、半導体レーザの寿命を延ばすことができるとともに、半導体レーザの出力の安定化を図ることもできる。
【００４１】
なお、上記実施の形態では、送風ユニット１２としてクロスフローファンを例に挙げて説明したが、送風ユニット１２としてはクロスフローファンに限られず、スピンドルモータの回転駆動力により空気をピックアップに向けて直接吹付けられるものであればよく、たとえば図４および図５に示すようなシロッコファンでもよい。
【００４２】
このようなシロッコファンの場合では、スピンドルモータ４の駆動軸５の回転とともにファンブレード２３が回転して、カバー２４に設けられた開口部２５から空気が取込まれる。取込まれた空気は駆動軸５と直角の方向に設けられた吹出し口２６から吹き出ることになる。
【００４３】
吹出し口２６から吹き出た空気は、クロスフローファンの場合と同様に、ピックアップユニット１０に直接吹付けられて、ピックアップユニット１０が効率よく冷却される。
【００４４】
今回開示された実施の形態はすべての点で例示であって、制限的なものではないと考えられるべきである。本発明は上記の説明ではなくて特許請求の範囲によって示され、特許請求の範囲と均等の意味および範囲内でのすべての変更が含まれることが意図される。
【００４５】
【発明の効果】
本発明に係る一の光ディスクドライブ装置によれば、スピンドルモータの駆動力によって駆動する送風部の吹出し口から吹き出る空気がピックアップユニットに直接吹付けられて、ピックアップユニットが効率よく冷却される。これにより、特に、記録媒体に対して強度のより強い光がピックアップユニットから照射される情報の書き込みの際に、ピックアップユニットの温度が高温になるのを防ぐことができる。また、ピックアップユニットが効率よく冷却されることで、ピックアップユニットの寿命を延ばすことができるとともに、ピックアップユニットから発せられる所定の光の出力の安定化を図ることもできる。
【００４６】
本発明に係る他の光ディスクドライブ装置によれば、スピンドルモータの駆動力によって駆動する送風部から空気がピックアップユニットに直接吹付けられて、ピックアップユニットが効率よく冷却される。これにより、特に、記録媒体に対して強度のより強い光がピックアップユニットから照射される情報の書き込みの際に、ピックアップユニットの温度が高温になるのを防ぐことができる。また、ピックアップユニットが効率よく冷却されることで、ピックアップユニットの寿命を延ばすことができるとともに、ピックアップユニットから発せられる所定の光の出力の安定化を図ることもできる。
【００４７】
また、送風部は、スピンドルモータの駆動軸部に取付けられた羽根部と、羽根部を覆うカバー部と、カバー部に設けられカバー部の外の空気を取入れるためのた開口部と、カバー部に設けられピックアップユニットに向けて開口した吹出し口とを含むことが好ましく、これにより、スピンドルモータの駆動によって羽根部が回転することで、開口部から空気が取入れられるとともに、吹出し口から空気がピックアップユニットに直接吹付けられる。
【００４８】
送風機としては、より具体的にクロスフローファンまたはシロッコファンであることが好ましい。
【図面の簡単な説明】
【図１】本発明の実施の形態に係る光ディスクドライブ装置の内部の構造を示す図である。
【図２】同実施の形態において、図１に示す送風ユニットの一平面図である。
【図３】同実施の形態において、図１に示す送風ユニットの一側面図である。
【図４】同実施の形態において、送風ユニットの他の例を示す斜視図である。
【図５】同実施の形態において、図４に示す送風ユニットを示す側面図である。
【図６】従来の光ディスクドライブ装置の一断面図である。
【図７】従来の他の光ディスクドライブ装置の一平面図である。
【符号の説明】
１  光ディスクドライブ装置、２  筐体、４  スピンドルモータ、５  駆動軸、６  チャッキングプレート、８  記録用ディスク、１０  ピックアップユニット、１２  送風ユニット、１３  羽根、１４，２４  カバー、１５，２５  開口部、１６，２６  吹出し口、２３  ファンブレード。
【図１】
2004164733.tif 000003
【図２】
2004164733.tif 000004
【図３】
2004164733.tif 000005
【図４】
2004164733.tif 000006
【図５】
2004164733.tif 000007
【図６】
2004164733.tif 000008
【図７】
2004164733.tif 000009